(57)【要約】      （修正有）【課題】分水栓よりも下流側の建物（住戸）を、断水させることなく、ある住戸の止水栓の交換作業を行うことができる、止水栓の交換作業用道具を提供する。【解決手段】水道管Ｌｃに設けられている止水栓を交換する場合、まず止水栓交換作業道具１の、弾性体押し付け管４に、新たな止水栓Ｖｎが取り付けられた水道管接続部材１１を外装する。次いで、止水栓の直ぐ上流側で水道管Ｌｃを切断し、その端部ｅＬｃに止水栓交換作業用道具１の管２の先端部分を挿入し、ナット手段５により、管２の外周に設けられた弾性体３を弾性体押し付け管４を介し鍔体２ａに押し付けることで、弾性体３が変形し、水道管Ｌｃと管２との隙間が無くなり、管２の他方端２ｅ２側から水道管Ｌｃの水が噴出する。【選択図】  図６
2007291612.tif 000002
【特許請求の範囲】
【請求項１】
水道管の内径よりもやや小さい外径を有する管と、
前記管の一方端に外方向に張出すように設けられ且つ水道管の内径よりもやや小さい外径を有する鍔体と、
前記管の一方端の先端部に、一方側を前記鍔体に当接するように前記管の外周に設けられた弾性体と、
前記管の他方端側に、前記管の外周に設けられたネジ部と、
前記管に外装され、前記管の外径に等しいかやや大きい内径を有し、且つ、前記水道管の内径よりもやや小さい外径を有し、前記弾性体を、その一方端を用いて、前記鍔体方向に押し付ける、弾性体押し付け管と、
前記ネジ部に螺合されたナット手段とを備え、
前記ナット手段を、前記管の一方端方向に螺進させることで、前記ナット手段にて、前記弾性体押し付け管を介して、前記弾性体を前記鍔体に押し付けることで、
前記弾性体を弾性変形させて、前記弾性体の外径を、前記水道管の内径よりも大きくできるようにした、止水栓の交換作業用道具。
【請求項２】
ある水道管に設けられている、ある止水栓を交換する際に、
請求項１に記載の止水栓の交換作業用道具の、弾性体押し付け管に、止水栓が取り付けられ、水道管と同じ内径を有し、その一方端には、水道管の外径に等しいかそれよりやや大きい内径を有する、ソケット部を有する、水道管接続部材を外装し、
前記ある止水栓の直ぐ上流側で、前記ある水道管を切断し、
切断した、前記ある水道管内に、請求項１に記載の止水栓の交換作業用道具の管の先端部分を挿入し、
請求項１に記載の止水栓の交換作業用道具の、ナット手段を、前記管の一方端方向に螺進させ、
前記弾性体を弾性変形させることにより、切断した、前記ある水道管と、前記管との間の隙間を無くし、前記管の他方端側から前記ある水道管内の水が噴出すようにし、
前記水道管接続部材のソケット部の内面に塗布した接着剤を用いて、前記水道管接続部材を、切断した、前記ある水道管に接着止めし、
その後、前記水道管接続部材の他方端から、請求項１に記載の止水栓の交換作業用道具を引き抜き、
前記水道管接続部材に設けられている止水栓を閉じた状態にし、
前記水道管接続部材の他方端に、量水計を接続するようにした、止水栓の交換方法。
【発明の詳細な説明】
【技術分野】
【０００１】
本発明は、止水栓の交換作業用道具及び止水栓の交換作業方法に関し、特に、水道本管（配水管）の分水栓Ｖ０を閉じることなく、ある住戸Ｈｃの止水栓Ｖｃを交換できるようにするための、止水栓の交換作業用道具、及び、水道本管（配水管）の分水栓Ｖ０を閉じることなく、ある住戸Ｈｃの止水栓Ｖｃを交換することができる、止水栓の交換方法に関する。
【背景技術】
【０００２】
図１０は、水道施設の一部を摸式的に示す図である。
【０００３】
水道施設は、図１０に示すように、一般に、水道本管（配水管）Ｌ０から、分水栓Ｖ０を経て、各々の建物（住戸）Ｈ・・・内へ、分岐して引き込んだ水道管Ｌ・・・により給水するようにされている。
【０００４】
そして、水道管Ｌ・・・の各々には、止水栓Ｖ・・・や、量水計Ｍ・・・が設けられている。
【０００５】
ところで、ある住戸Ｈｃの止水栓Ｖｃを交換する必要が生じた際に、止水栓Ｖｃの直ぐ上流側で水道管Ｌｃを切断すると、水道管Ｌｃの切断部分から水が噴出し、新たな止水栓Ｖを取り付けた水道管を、水道管Ｌｃに接着止めすることができない。
【０００６】
このため、従来は、従来は、ある住戸Ｈｃの止水栓Ｖｃを交換する必要が生じた際に、水道本管（配水管）Ｌ０の分水栓Ｖ０を閉じた状態にし、止水栓Ｖｃを交換するようにしている。
【０００７】
また、不断水による分水栓取換用の止水具としては、外径が給水管の内径と同等ないし稍小の直管体の内部を貫通して移動しうる直棒体の下部にゴム短管を巻設し、該ゴム短管の上・下端は該直管体及び該直棒体のそれぞれ端部及び張出突起によって直ないし間接的に移動を阻止されると共に、該直棒体はその上部における螺子ないしテコによる移動手段により上方に移動することができ、その時、該ゴム短管は上下に圧縮されて中央部が膨らみ略ドーナツ状に変化することを特徴とする不断水による分水栓取換用の止水具が、既に、提案されている。
【特許文献１】特開平１０−４６６３４号公報
【発明の開示】
【発明が解決しようとする課題】
【０００８】
しかしながら、水道本管（配水管）Ｌ０の分水栓Ｖ０を閉じた状態にして、ある住戸Ｈｃの止水栓Ｖｃを交換する作業を行った場合、止水栓Ｖｃの交換作業を行っている建物（住戸）Ｈｃだけでなく、分水栓Ｖ０よりも下流側の建物（住戸）Ｈ・・・も、止水栓Ｖｃの交換作業を行っている間、断水になる、という問題がある。
【０００９】
本発明は、以上のような問題を解決するためになされたものであって、分水栓よりも下流側の建物（住戸）については、断水させることなく、ある住戸の止水栓の交換作業を行うことができるようにした、止水栓の交換作業用道具及び止水栓の交換方法を提供することにある。
【課題を解決するための手段】
【００１０】
請求項１に記載の止水栓の交換作業用道具は、水道管の内径よりもやや小さい外径を有する管と、管の一方端に外方向に張出すように設けられ且つ水道管の内径よりもやや小さい外径を有する鍔体と、管の一方端の先端部に、一方側を前記鍔体に当接するように管の外周に設けられた弾性体と、管の他方端側に、管の外周に設けられたネジ部と、管に外装され、管の外径に等しいかやや大きい内径を有し、且つ、水道管の内径よりもやや小さい外径を有し、弾性体を、その一方端を用いて、鍔体方向に押し付ける、弾性体押し付け管と、ネジ部に螺合されたナット手段とを備え、ナット手段を、管の一方端方向に螺進させることで、ナット手段にて、弾性体押し付け管を介して、弾性体を鍔体に押し付けることで、弾性体を弾性変形させて、弾性体の外径を、前記水道管の内径よりも大きくできるようにした。
【００１１】
請求項２に記載の止水栓の交換方法は、ある水道管に設けられている、ある止水栓を交換する際に、請求項１に記載の止水栓の交換作業用道具の、弾性体押し付け管に、止水栓が取り付けられ、水道管と同じ内径を有し、その一方端には、水道管の外径に等しいかそれよりやや大きい内径を有する、水道管接続部を有する、水道管接続部材を外装し、ある止水栓の直ぐ上流側で、ある水道管を切断し、切断した、ある水道管内に、請求項１に記載の止水栓の交換作業用道具の管の先端部分を挿入し、請求項１に記載の止水栓の交換作業用道具の、ナット手段を、管の一方端方向に螺進させ、弾性体を弾性変形させることにより、切断した、ある水道管と、管との間の隙間を無くし、管の他方端側からある水道管内の水が噴出すようにし、水道管接続部材の水道管接続部の内面に塗布した接着剤を用いて、水道管接続部材を、切断した、ある水道管に接着止めし、その後、水道管接続部材の他方端から、請求項１に記載の止水栓の交換作業用道具を引き抜き、水道管接続部材に設けられている止水栓を閉じた状態にし、水道管接続部材の他方端に、量水計を接続するようにした。
【発明の効果】
【００１２】
請求項１に記載の止水栓の交換作業用道具では、ある水道管に設けられている、ある止水栓を交換する際に、ある止水栓が設けられている水道管を、ある止水栓の直ぐ上流側で切断した後、止水栓の交換作業用道具の管の先端部分を、切断した水道管内に挿入し、管の先端部分に設けられている、弾性体を弾性変形させることで、管の他方端側から水道管内の水を噴出させることができるようにしている。
【００１３】
従って、この止水栓の交換作業用道具を用いれば、ある止水栓を交換する際に、弾性体押し付け管に、止水栓が取り付けられ、水道管と同じ内径を有し、その一方端には、水道管の外径に等しいかそれよりやや大きい内径を有する、ソケット部を有する、水道管接続部材を外装し、ある止水栓の直ぐ上流側で、ある水道管を切断し、切断した、ある水道管内に、管の先端部分を挿入し、ナット手段を、管の一方端方向に螺進させ、弾性体を弾性変形させることにより、切断した、ある水道管と、管との間の隙間を無くし、管の他方端側からある水道管内の水が噴出すようにすることで、水道管接続部材のソケット部の内面に塗布した接着剤を用いて、水道管接続部材を、切断した、ある水道管に接着止めすることができる。
【００１４】
即ち、この止水栓の交換作業用道具を用いれば、水道本管（配水管）の分水栓を閉じた状態にしなくても、止水栓の交換をすることができるので、分水栓よりも下流側の建物（住戸）については、断水させることなく、ある住戸の止水栓の交換作業を行うことができる。
請求項２に記載の止水栓の交換方法では、請求項１に記載の止水栓の交換作業用道具を用いているので、ある止水栓を交換する際に、請求項１に記載の止水栓の交換作業用道具の弾性体押し付け管に、止水栓が取り付けられ、水道管と同じ内径を有し、その一方端には、水道管の外径に等しいかそれよりやや大きい内径を有する、水道管接続部を有する、水道管接続部材を外装し、ある止水栓の直ぐ上流側で、ある水道管を切断し、切断した、ある水道管内に、請求項１に記載の止水栓の交換作業用道具の管の先端部分を挿入し、請求項１に記載の止水栓の交換作業用道具のナット手段を、請求項１に記載の止水栓の交換作業用道具の管の一方端方向に螺進させ、請求項１に記載の止水栓の交換作業用道具の弾性体を弾性変形させることにより、切断した、ある水道管と、管との間の隙間を無くし、管の他方端側からある水道管内の水が噴出すようにすることで、水道管接続部材のソケット部の内面に塗布した接着剤を用いて、水道管接続部材を、切断した、ある水道管に接着止めすることができる。
【００１５】
即ち、この止水栓の交換方法を用いれば、水道本管（配水管）の分水栓を閉じた状態にしなくても、止水栓の交換をすることができるので、分水栓よりも下流側の建物（住戸）については、断水させることなく、ある住戸の止水栓の交換作業を行うことができる。
【発明を実施するための最良の形態】
【００１６】
以下、本発明に係る止水栓の交換作業用道具の一例と、この止水栓の交換作業用道具を用いた、止水栓の交換方法の一例について、更に、詳しく説明する。
【００１７】
図１は、本発明に係る止水栓の交換作業用道具の一例を概略的に示す正面図であり、図２は、図１に示す止水栓の交換作業用道具の構成部材を分解して概略的に示す断面図であり、また、図３は、図１中、ＩＩＩ−ＩＩＩ線に従う概略的な断面図である。
【００１８】
また、図４は、水道管と、止水栓の交換作業用道具との関係を概略的に説明する説明図であり、図４（ａ）は、水道管内に、止水栓の交換作業用道具の先端部分を挿入した状態を概略的に説明する説明図であり、また、図４（ｂ）は、水道管内に、止水栓の交換作業用道具の先端部分を挿入した後、ナット手段を、管の一方端方向に螺進させた状態を概略的に説明する説明図である。
【００１９】
この止水栓の交換作業用道具１は、管２と、弾性体３と、弾性体押し付け管４と、ナット手段５とを備える。
【００２０】
管２は、止水栓（図１０に示す止水栓Ｖ・・・、Ｖｃを参照。）や、量水計（図１０に示す量水計Ｍ・・・を参照。）が取り付けられる水道管（図４（ａ）及び図４（ｂ）の各々に示す水道管Ｌを参照。）の内径（図４（ａ）及び図４（ｂ）の各々に示す水道管Ｌの内径ＤＬｉを参照。）よりもやや小さい外径（図４（ａ）及び図４（ｂ）の各々に示す管２の外径Ｄ２を参照。）を有する。
【００２１】
管２は、その一方端２ｅ１に、管２の外方向に張出すように設けられ且つ水道管（図４（ａ）及び図４（ｂ）の各々に示す水道管Ｌを参照。）の内径（図４（ａ）及び図４（ｂ）の各々に示す水道管Ｌの内径ＤＬｉを参照。）よりもやや小さい外径（図４（ａ）及び図４（ｂ）の各々に示す鍔体２ａの外径Ｄ２ａを参照。）を有する鍔体２ａを備え、その他方端２ｅ２側には、ネジ部２ｂを備える。
【００２２】
弾性体３は、管２の一方端２ｅ１の先端部に、一方側を鍔体２ａに当接するように管２の外周に設けられている。
【００２３】
弾性体３としては、特に、以下の場合に限定されることは無いが、例えば、天然又は合成ゴム製のものを用いる。
【００２４】
また、管２には、管２の外径（図４（ａ）及び図４（ｂ）の各々に示す管２の外径Ｄ２を参照。）に等しいかやや大きい内径（図４（ａ）及び図４（ｂ）の各々に示す弾性体押し付け管４の内径Ｄ４ｉを参照。）を有し、且つ、水道管（図４（ａ）及び図４（ｂ）の各々に示す水道管Ｌを参照。）の内径（図４（ａ）及び図４（ｂ）の各々に示す水道管Ｌの内径ＤＬｉ）よりもやや小さい外径（図４（ａ）及び図４（ｂ）の各々に示す弾性体押し付け管４の外径Ｄ４ｏを参照。）を有し、弾性体３を、その一方端４ｅ１を用いて、鍔体２ａ方向に押し付ける、弾性体押し付け管４が、外装されている。
【００２５】
尚、４ａで示す部材は、弾性体押し付け管４の他方端に設けられている鍔体を示している。
【００２６】
また、管２の他方端２ｅ２側に設けられているネジ部２ｂには、ナット手段５が螺合されている。
【００２７】
そして、この止水栓の交換作業用道具１は、ナット手段５を、管２の一方端２ｅ１方向に螺進させることで、ナット手段５にて、弾性体押し付け管４を介して、弾性体３を鍔体２ａに押し付けることで、弾性体３を弾性変形させて、弾性体３の外径を、水道管Ｌの内径ＤＬｉよりも大きくできるようにしている（図４（ｂ）を参照。）。
【００２８】
次に、図１０を再び参照しながら、ある住戸の止水栓を交換する必要が生じた場合を例にとって、ある住戸の止水栓を新たな止水栓に、止水栓の交換作業用道具１を用いて交換する、止水栓の交換方法を例示的に説明する。
【００２９】
図５〜図９の各々は、ある住戸の止水栓を新たな止水栓に、止水栓の交換作業用道具１を用いて交換する、止水栓の交換作業の工程を摸式的に示す作業工程図である。
【００３０】
ある水道管Ｌｃに設けられている、ある止水栓Ｖｃを交換する際には、まず、図５に示すように、止水栓の交換作業用道具１の、弾性体押し付け管４に、新たな止水栓Ｖｎが取り付けられた水道管接続部材１１を外装する。
【００３１】
水道管接続部材１１は、水道管（図４（ａ）及び図４（ｂ）の各々に示す水道管Ｌを参照。）と同じ内径（図４（ａ）及び図４（ｂ）の各々に示す水道管Ｌの内径ＤＬｉを参照。）を有し、その一方端ｅ１１ａには、水道管（図４（ａ）及び図４（ｂ）の各々に示す水道管Ｌを参照。）の外径（図４（ａ）及び図４（ｂ）の各々に示す水道管Ｌの外径ＤＬｏを参照。）に等しいかそれよりやや大きい内径Ｄ１２を有する、ソケット部１２を備える。
【００３２】
尚、図５中、ｈで示す部材は、管２内を流れる水を所定の場所まで導くためのホース手段を示しており、ホース手段は、必要により、管の他端部２ｅ２に接続される。
【００３３】
次に、図６に示すように、ある止水栓Ｖｃの直ぐ上流側で、ある水道管Ｌｃを切断する。
【００３４】
この時、分水栓（図１０に示す分水栓Ｖ０）は開いたままの状態にされている。
【００３５】
止水栓Ｖｃの直ぐ上流側で、ある水道管Ｌｃを切断する。
【００３６】
この例では、分水栓（図１０に示す分水栓Ｖ０）は開いたままの状態にしているので、水道管Ｌｃの端部（切断部）ｅＬｃからは、図６に示すように、水が噴出する。
【００３７】
次に、切断した水道管Ｌｃの端部（切断部）ｅＬｃに、水道管接続部材１１を外装した、止水栓の交換作業用道具１の管２の先端部分を挿入する。
【００３８】
この時、端部（切断部）ｅＬｃから、水が噴出している水道管Ｌｃに対し、管２を、斜め方向から、水道管Ｌｃ内に、ゆっくりと挿入する。
【００３９】
また、この時、ソケット部１２の内面が濡れると、接着剤を用いて、ソケット部１２と、水道管Ｌｃとの接着止めが困難になるので、図６に示すように、例えば、タオルＴｗ等を用いて、ソケット部１２の内面が濡れないように注意するのが好ましい。
【００４０】
次に、図７に示すように、止水栓の交換作業用道具１の、ナット手段５を、管２の一方端２ｅ１方向に螺進させる。
【００４１】
止水栓の交換作業用道具１の、ナット手段５を、管２の一方端２ｅ１方向に螺進させると、弾性体押し付け管４を介して、弾性体３が鍔体２ａに押し付けられ、弾性体３が弾性変形し、弾性体３の外径を、水道管Ｌの内径ＤＬｉよりも大きく変形しようとし、切断した、ある水道管Ｌｃと、管２との間の隙間が無くなり、管２の他方端２ｅ２側から、ある水道管Ｌｃ内の水が噴出すようになる、
次に、水道管接続部材１１のソケット部１２の内面に接着剤（図示せず。）を塗布した、接着剤を用いて、水道管接続部材１１のソケット部１２を、切断した、ある水道管Ｌｃに接着止めする。
【００４２】
水道管接続部材１１のソケット部１２が、切断した、ある水道管Ｌｃに、完全に接着した後、ナット手段５を、管２の他端部２ｅ２方向に螺進させ、弾性体３の外径を、水道管Ｌｃの内径ＤＬｉよりも小さくし、水道管接続部材１１の他方端１１ｅ２から、止水栓の交換作業用道具１を引き抜き、その後、水道管接続部材１１に設けられている止水栓Ｖｎを閉じた状態にする（以上の工程については、図８を参照。）。
【００４３】
その後、水道管接続部材１１の他方端１１ｅ２に、量水計Ｍを接続し、止水栓Ｖｎを開いた状態にする（以上の工程については、図９を参照。）。
【００４４】
以上の説明から明らかなように、この止水栓の交換作業用道具１を用いれば、止水栓Ｌｃの交換作業中において、分水栓Ｌ０を閉じた状態にする必要が無い。
【００４５】
即ち、この止水栓の交換作業用道具１を用いて、止水栓の交換をすれば、水道本管（配水管）の分水栓Ｖ０を閉じた状態にしなくても、止水栓の交換をすることができるので、分水栓Ｖ０よりも下流側の建物（住戸）については、断水させることなく、ある住戸の止水栓の交換作業を行うことができる。
【産業上の利用可能性】
【００４６】
本発明に係る止水栓の交換作業用道具及び止水栓の交換作業を用いれば、水道本管（配水管）の分水栓を閉じた状態にしなくても、止水栓の交換をすることができるので、分水栓よりも下流側の建物（住戸）については、断水させることなく、ある住戸の止水栓の交換作業を行うことができるので、本発明に係る止水栓の交換作業用道具及び止水栓の交換作業は、産業上の利用可能性が高い。
【図面の簡単な説明】
【００４７】
【図１】本発明に係る止水栓の交換作業用道具の一例を概略的に示す正面図である。
【図２】図１に示す止水栓の交換作業用道具の構成部材を分解して概略的に示す断面図である。
【図３】図１中、ＩＩＩ−ＩＩＩ線に従う概略的な断面図である。
【図４】水道管と、止水栓の交換作業用道具との関係を概略的に説明する説明図であり、図４（ａ）は、水道管内に、止水栓の交換作業用道具の先端部分を挿入した状態を概略的に説明する説明図であり、また、図４（ｂ）は、水道管内に、止水栓の交換作業用道具の先端部分を挿入した後、ナット手段を、管の一方端方向に螺進させた状態を概略的に説明する説明図である。
【図５】ある住戸の止水栓を新たな止水栓に、図１に示す止水栓の交換作業用道具を用いて交換する、止水栓の交換作業の工程を摸式的に示す作業工程図である。
【図６】ある住戸の止水栓を新たな止水栓に、図１に示す止水栓の交換作業用道具を用いて交換する、止水栓の交換作業の工程を摸式的に示す作業工程図である。
【図７】ある住戸の止水栓を新たな止水栓に、図１に示す止水栓の交換作業用道具を用いて交換する、止水栓の交換作業の工程を摸式的に示す作業工程図である。
【図８】ある住戸の止水栓を新たな止水栓に、図１に示す止水栓の交換作業用道具を用いて交換する、止水栓の交換作業の工程を摸式的に示す作業工程図である。
【図９】ある住戸の止水栓を新たな止水栓に、図１に示す止水栓の交換作業用道具を用いて交換する、止水栓の交換作業の工程を摸式的に示す作業工程図である。
【図１０】水道施設の一部を摸式的に示す図である。
【符号の説明】
【００４８】
１  止水栓の交換作業用道具
２  管
２ａ  鍔体
２ｂ  ネジ部
２ｅ１  管の一端部
２ｅ２  管の他端部
３  弾性体
４  弾性体押し付け管
５  ナット手段
【図１】
2007291612.tif 000003
【図２】
2007291612.tif 000004
【図３】
2007291612.tif 000005
【図４】
2007291612.tif 000006
【図５】
2007291612.tif 000007
【図６】
2007291612.tif 000008
【図７】
2007291612.tif 000009
【図８】
2007291612.tif 000010
【図９】
2007291612.tif 000011
【図１０】
2007291612.tif 000012